(57)【要約】【課題】伸縮式筆記具において、芯を安全に補給できるようにする。【解決手段】前部軸筒（１）の後方に、軸後方向に移動可能に後部軸筒（２）を嵌着する。上記前部軸筒（１）内に設けた芯繰出機構の芯ケース（２２）の後端に尾栓（４８）を開閉可能に設ける。上記後部軸筒（２）を前進させて全長を短縮したとき、芯ケース（２２）の後端は後部軸筒（２）の後端とほぼ隣接した位置に位置する。そして、上記尾栓（４８）を開けると尾栓の一部は上記後部軸筒の後端に対向する位置に突出し、後部軸筒を伸長位置に移動させることができなくなる。このとき芯ケースの後端開口部（４４）は尾栓（４８）の芯挿入口（４９）と連通し、芯を補給することができる。尾栓を閉鎖位置に戻すと、尾栓の一部は後部軸筒の後端に対応する位置から退出するので、後部軸筒を伸長させることができる。【選択図】図１７
2008302676.tif 000002
【特許請求の範囲】
【請求項１】
芯繰出機構を内部に設けた前部軸筒と該前部軸筒の後方に軸方向に移動可能に嵌着した後部軸筒で軸筒を構成し、該前部軸筒と後部軸筒間にばねを設けて該後部軸筒を後方に付勢し、上記後部軸筒を前方へ移動して全長を短縮した位置で該後部軸筒は前部軸筒に係止され、該係止を外すと該後部軸筒は短縮位置から伸長位置まで後方へ移動するようにした伸縮式筆記具において、上記芯繰出機構は芯を収納するための芯ケースを後部に有し、該芯ケースの後端開口部は開閉自在な尾栓で閉塞され、上記後部軸筒が短縮位置にあるとき上記尾栓を開くと該尾栓は後部軸筒の後端に対向する位置に突出し該尾栓を閉じると該尾栓は上記後部軸筒の後端に対向する位置から退出するよう上記尾栓を上記後部軸筒の後端の移動軌跡内に進退可能に設けたことを特徴とする伸縮式筆記具。
【請求項２】
上記後部軸筒の後端は嵌着自在なキャップで閉塞され、上記尾栓が開いた位置にあるとき上記キャップを後部軸筒の後端に嵌めると、上記尾栓は該キャップの内面に押圧されて閉鎖位置に後退することを特徴とする請求項１に記載の伸縮式筆記具。
【請求項３】
上記尾栓は芯ケースの後端に摺動可能に設けられている請求項２に記載の伸縮式筆記具。
【請求項４】
上記尾栓は芯ケースの後端に回動可能に設けられている請求項２に記載の伸縮式筆記具。
【請求項５】
上記尾栓の外面にはキャップの内面との摺接をガイドするよう傾斜案内面が形成されていることを特徴とする請求項２ないし請求項４のいずれかに記載の伸縮式筆記具。
【請求項６】
上記芯繰出機構はサイドノック式芯繰出機構であり、該サイドノック式芯繰出機構のサイドノック部材は上記後部軸筒を係止するための係合部を有する上記請求項１から５のいずれかに記載の伸縮式筆記具。
【発明の詳細な説明】
【技術分野】
【０００１】
本発明は、シャープペンシル等の繰出式筆記具に関し、特に軸筒の長さを伸縮できるようにした伸縮式筆記具に関するものである。
【背景技術】
【０００２】
不使用時や携行時に軸筒の長さを短くし、筆記時に長く延ばして使用できるようにした伸縮式筆記具が知られている（例えば、特許文献１参照）。この従来の筆記具は、芯繰出機構の芯受け入れ部を内筒内に配置し、該内筒と外筒の間に筒状体を挿入して該筒状体を軸方向に移動させて軸筒を伸縮するように構成されているから、該筒状体を後退させ軸筒を伸長させたとき該筒状体の後端と芯受け入れ部の後端の間隔が大きくなり、筒状体の後端のキャップを外して該後端から芯受け入れ部の後端に芯を差し込もうとすると芯がうまく該芯受け入れ部に入らないおそれがある。さらに、上記芯受け入れ部の後端が開口されたままだと、芯が軸筒内で移動して軸筒を伸縮させる際に折損するおそれもある。また、公知の筆記具では、軸筒を短縮した状態から伸長させる際に、専用の解除ボタン等を用いて操作するよう構成されているので、構成が複雑になり、経済的に得にくい。
【特許文献１】特開２００１−１８５７８号公報（段落００１７、図３、図４）
【発明の開示】
【発明が解決しようとする課題】
【０００３】
本発明の解決課題は、軸筒を短縮したり、伸長したりできるようにした伸縮式筆記具において、芯ケースへ芯を容易に供給でき、かつ軸筒を伸長する際に該芯ケースの後端開口部を尾栓で確実に塞いで芯折れ等も生じにくくできる伸縮式筆記具を提供することである。また、芯ケースの後端開口部に設けた尾栓の閉鎖を容易にできるようにし、構成が簡単な上記伸縮式筆記具を提供することである。
【課題を解決するための手段】
【０００４】
本発明によれば、芯繰出機構を内部に設けた前部軸筒と該前部軸筒の後方に軸方向に移動可能に嵌着した後部軸筒で軸筒を構成し、該前部軸筒と後部軸筒間にばねを設けて該後部軸筒を後方に付勢し、上記後部軸筒を前方へ移動して全長を短縮した位置で該後部軸筒は前部軸筒に係止され、該係止を外すと該後部軸筒は短縮位置から伸長位置まで後方へ移動するようにした伸縮式筆記具において、上記芯繰出機構は芯を収納するための芯ケースを後部に有し、該芯ケースの後端開口部は開閉自在な尾栓で閉塞され、上記後部軸筒が短縮位置にあるとき上記尾栓を開くと該尾栓は後部軸筒の後端に対向する位置に突出し該尾栓を閉じると該尾栓は上記後部軸筒の後端に対向する位置から退出するよう上記尾栓を上記後部軸筒の後端の移動軌跡内に進退可能に設けたことを特徴とする伸縮式筆記具が提供され、上記課題が解決される。
なお、本発明において、軸筒の「短縮位置」とは、前部軸筒に移動可能に嵌着した後部軸筒を軸方向前方に移動させ係合部で前部軸筒に係止している状態をいい、「伸長位置」とは、上記係合部の係合が外れて後部軸筒が前部軸筒の軸方向後方に移動した状態を意味する。
【発明の効果】
【０００５】
本発明は、上記のように構成され、前部軸筒に設けられた芯繰出機構の芯ケースの後端開口部は、開閉自在な尾栓で閉塞され、上記後部軸筒が短縮位置にあるとき上記尾栓を開くと該尾栓は後部軸筒の後端に対向する位置に突出し該尾栓を閉じると該尾栓は上記後部軸筒の後端に対向する位置から退出するよう上記尾栓を上記後部軸筒の後端の移動軌跡内に進退可能に設けたから、芯ケースに芯を補給する際は必ず後部軸筒を短縮させて尾栓を開かなければならず、この状態で該尾栓を開くと芯ケースの後端開口部は後部軸筒の後端とほぼ隣接した位置に存するので、該開口部から芯をきわめて容易に供給することができる。そして、尾栓を開けたまま後部軸筒を伸長させようとしても、後部軸筒の後端に対向する位置に尾栓が突出しているため、そのままでは該後部軸筒を伸長させることはできない。したがって、伸長時には尾栓を閉める必要があり、それにより芯ケースの後端開口部は確実に塞がれるから安全であり、伸長した軸筒内で芯がバラバラに動いたり、折損したりするおそれがない。さらに上記後部軸筒の後端に嵌着自在なキャップを設け該キャップの内面で上記尾栓を閉鎖位置に後退させるようにすれば、該キャップを装着することにより上記尾栓を閉鎖位置に後退させることができ、尾栓の閉鎖が簡単である。
【０００６】
また、上記のようにサイドノック式芯繰出機構のサイドノック部材により後部軸筒を前部軸筒に係止するように構成すれば、サイドノック部材をノックすることにより芯を繰り出すことができると共に前部軸筒と後部軸筒の係合部の係合が外れて該後部軸筒は後方に移動し、全長を長くすることができ、さらにサイドノック部材を押圧すれば、通常のように芯を繰り出して筆記することができる。不使用時や携行時には後部軸筒を前方に移動させると、上記サイドノック部材に設けた係合部と後部軸筒に設けた係合部が係合するので、該後部軸筒をその状態に保持して全長を短縮することができる。このようにすれば、特別の解除ボタン等を設ける必要がなく、サイドノック部材で兼用することができるので、構成が簡単で操作が容易であり、経済的に得ることができる。
【発明を実施するための最良の形態】
【０００７】
図１〜図４は、本発明の伸縮式筆記具の一実施例を示し、軸筒は前部軸筒（１）と後部軸筒（２）で構成され、前部軸筒（１）の後部に後部軸筒（２）が軸方向に移動可能に嵌着されており、該後部軸筒（２）は、前部軸筒（１）の後端と後部軸筒（２）の内方端間に設けたばね（３）により後方に付勢されている。
【０００８】
上記前部軸筒（１）内には、芯を前部軸筒の先端から繰り出すための芯繰出機構が設けられている。図に示す実施例においては、軸径方向に移動可能に設けたサイドノック部材により芯を繰り出したり、サイドノック部材を開放してチャックを筆記位置まで後退させるようにしたサイドノック式芯繰出機構が設けられている。該サイドノック式芯繰出機構としては、種々の構成が知られており、各種態様の機構を採用することができるが、図に示す実施例では、特許第３３６４７９９号公報に記載の如き機構を用いている。詳述すると、前部軸筒（１）は、先口（４）を有する前方外本体（５）と該前方外本体（５）内に挿入固定される前方内本体（６）を具備し、該前方外本体（５）の外面には、二色成形等により一体的に若しくは別体に軟質材料で作られたグリップ（７）が設けられ、内部先端には、芯を弾性的に保持するスライダー（８）が軸方向に移動可能に設けられている。なお、公知のように、弾性ゴム等の芯保持部材を先端に固定的に設けてもよい。
【０００９】
上記前方内本体（６）は、上記前方外本体（５）内に回り止め状態で挿入固定され、図５に示すように中間部の外面には前方外本体（５）の後端面に当接する突起（９）が形成され、内部に形成した案内溝（１０）にチャック駒（１１）の案内突起（１２）（図６参照）を嵌めて該チャック駒（１１）を軸方向に移動可能に収納し、チャックばね（１３）で該チャック駒を後方に付勢してある。該チャック駒（１１）の先部にはクラッチ（１４）を外周に嵌着したチャック（１５）が挿入固定され、上記チャック駒（１１）およびチャック(１５)を前進してクラッチ(１４)を軸方向に移動させることにより、公知のように芯を繰り出すことができる。なお、上記チャックとチャック駒は一体的に形成してもよい。また、該前方内本体(６)の前端小径部には上記クラッチ(１４)の外周が摺接するリブ(１６)と、チャックが筆記位置に移動したとき上記クラッチ(１４)の後端が当接して上記チャック(１５)を締着するよう内方フランジ(１７)が形成されている。該内方フランジ(１７)に換えて、公知のようにクラッチ(１４)の前端に形成したフランジが前方内本体の先端に当たったときにチャックを締着して筆記位置になるように構成してもよい。
【００１０】
図２，４に示す実施例では、該チャック駒（１１）は、図６に示すように芯挿通孔(１８)を有するチャック駒本体(１９)の前方および後方に前方内本体内で回転しないような断面形状に形成された前部壁(２０)と後部壁(２１)を有し、該前部壁（２０）は外側にコーナー部を形成するように略Ｌ字状に設けられ、後部壁（２１）側の内面には芯ケース（２２）を接続するための接続孔（２３）が形成され、外面には補強壁（２４）が設けられている。上記前部壁（２０）の上記コーナー部には側面略く字状のリンク爪（２５）の一端が当接され、該リンク爪（２５）の他端はサイドノック部材（２６）に連結しており、該サイドノック部材を軸径方向に押圧して上記チャック駒(１１)を前進させるよう構成されている。なお、該リンク爪(２５)はサイドノック部材(２６)と別体に作って端部を当接させるようにしてもよい。
【００１１】
上記サイドノック部材（２６）の移動構造としては、例えば軸筒の側面に突出する押ボタンを設けて全体が軸径方向に移動するようにしたり、その他の適宜の構造にすることができるが、図に示す実施例では、揺動可能なノックレバー(２７)を設けてサイドノック部材としてある。該ノックレバー(２７)は、図７に示すように、上記前方内本体（６）の開口（２８）に対応した形状に形成され、該ノックレバー（２７）の基端を上記開口（２８）内に挿入した際、該開口（２８）の内縁に係合するよう係合爪(２９)を該基端に形成してあり、これにより該ノックレバー(２７)の前端を揺動できるよう前方内本体に固定している。なお、該ノックレバー（２７）の基端の後方裏面には小突起(３０)を突設してあり、該小突起(３０)は上記前方内本体(６)の開口(２８)の端部に設けた嵌合孔(３１)に装着時に嵌着する。
【００１２】
また、上記ノックレバー（２７）の側面下方には抜け止め突起（３２）があり、前端には上記リンク爪（２５）と連絡する作用縁（３３）を形成し、上面には前部軸筒（１）の外面に突出するよう押圧面（３４）を形成してある。該押圧面（３４）と基端の間には、係合部（３５）を設けてあり、該係合部（３５）には、後記するように後部軸筒（２）の係合部（３６）が係合する。この係合部の構造は、軸筒の全長を短縮した状態で、上記ノックレバー（２７）を軸径方向に押圧したとき係合が外れて軸筒は伸長状態となり、伸長状態から後部軸筒（２）を前方へ移動して全長を短縮したとき係合するよう係脱可能な適宜の構造に形成される。図に示す実施例では、上記ノックレバー（２７）の係合部（３５）は、図８に示すように前方が高く後方が低くなるように傾斜する係合爪であり、上記後部軸筒（２）の係合部（３６）は係合孔であるが、係合爪を後部軸筒（２）側に設け、係合孔をノックレバー（２７）側に設けてもよい。なお、上記ノックレバー(２７)の係合部(３５)と後部軸筒(２)の係合部(３６)が係合したとき、上記チャック駒(１１)は該ノックレバー(２７)により少し前方に押圧されており、クラッチ(１４)の後端と内方フランジ(１７)の間には隙間があってチャック（１５）は芯を充分に締付けていないよう構成してある。
【００１３】
上記芯ケース（２２）は、図９に示すように、内部に収納空間（３７）を有し、上記チャック駒（１１）の接続孔（２３）に挿入される接続筒（３８）を一端に設け、該接続筒の外周には係止部（３９）が形成されている。また、外面には、上記前方内本体（６）の内面に回り止状態で嵌合する案内壁（４０）を間隔をあけて形成してあり、該案内壁間に案内突起（４１）を設けて上記前方内本体の案内溝（１０）に摺動可能に嵌合している。そして、後方の案内壁（４０）が案内溝（１０）の後端部に当たる位置まで後退したとき芯に作用する筆圧を受支できるようにしてある。なお、図２に示すように、該芯ケース（２２）の長さは、チャック駒（１１）に連結して上記前方内本体（６）内にセットしたとき該芯ケース（２２）の後端が、短縮位置にある後部軸筒（２）の後端（２a）とほぼ隣接する位置に存するような長さに形成されている。該芯ケース（２２）の後端側には軸方向に延びる案内溝（４２）を形成した円筒状の後端筒状部（４３）が形成され、後端面には芯挿入用の後端開口部（４４）を有する断面略Ｔ字状の支柱（４５）が設けられ、該支柱の基端側の両側には案内面（４６）が形成され、該案内面の一端にはストッパー壁（４７）が設けられている。
【００１４】
上記芯ケース（２２）の後端開口部（４４）は開閉自在な尾栓（４８）で閉塞され、該尾栓（４８）は、上記後部軸筒（２）が短縮位置にあるとき該尾栓を開くと後部軸筒（２）の後端（２a）に対向する位置に突出し該尾栓を閉じると上記後部軸筒（２）の後端（２a）に対向する位置から退出するよう上記後部軸筒（２）の後端（２a）の移動軌跡内に進退可能に設けられている。そのような尾栓の構造としては、種々に構成できるが、実施例では芯ケースの後端面に沿って芯ケース（２２）の軸径方向に摺動可能に設けてある。すなわち、図１０に示すように、芯挿入口（４９）を有する尾栓本体（５０）に、上記断面ほぼＴ字状の支柱（４５）を抱持するよう係合縁（５１）を形成し、かつ図において下方に上記支柱の案内面（４６）に沿うよう脚片（５２）を形成し、上面に山形状の傾斜案内面（５３）を形成してある。そして、図１１に示すように、該尾栓（４８）は閉鎖位置にあるとき、上記脚片（５２）はストッパー壁（４７）に当たってその位置に停止しており、芯挿入口（４９）と芯ケース（２２）の後端開口部（４４）は一致していない。したがって、芯ケース（２２）からの芯の脱出を防止でき、また尾栓（４８）の外縁は芯ケース（２２）の後端筒状部（４３）の外縁内に収まっているので、後部軸筒の移動に支障を与えることはない。該尾栓（４８）を開放位置に移動すると、図１２に示すように、該尾栓（４８）の一部は上記後端筒状部（４３）の外縁を越えて後部軸筒（２）の後端（２a）に対向する位置に突出し、芯挿入口（４９）は芯ケース（２２）の後端開口部（４４）と一致し、芯を芯ケース（２２）内に供給することができる。このとき、尾栓（４８）の移動は上記脚片（５２）が後部軸筒（２）の後端（２a）の内面に当たって停止し、後部軸筒の後方（伸長方向）への移動は阻止されている。
【００１５】
後部軸筒（２）は、後端に接続筒（５４）を有する後方外本体（５５）(図１３参照)と、該後方外本体（５５）に挿入され上記接続筒（５４）の端縁に係合する係合縁（５６）を有する後方内本体（５７）(図１４参照)を具備する。該後方外本体（５５）の内面には、軸方向に延びる案内突起（５８）と短縮位置において上記前方内本体（６）の突起（９）が入り込む凹部（５９）が形成され、所望により二色成形等により外面に色分け模様を形成してある。該後方内本体（５７）には、図１４に示すように上記係合部（係合孔）（３６）が形成され、また略Ｕ字状の切欠（６０）を設けて先端（６１）を自由端としたストッパー爪（６２）が形成されている。該ストッパー爪（６２）の該先端（６１）には凸部が形成され、上記後方外本体（５５）に後方内本体（５７）を挿入したとき、該凸部が後方外本体（５５）の内面に押圧されて上記先端（６１）は後方内本体（５７）の内方に弾性的に突出する。該後方内本体（５７）の外面には上記後方外本体（５５）に形成した案内突起（５８）に嵌合する受溝（６３）が形成され、内面の後方には上記芯ケース（２２）の後端筒状部（４３）に形成した案内溝（４２）が入り込む突条（６４）が形成されている。
【００１６】
上記ストッパー爪（６２）は、上記前方内本体（６）の外面に形成した略平面状の溝（６５）に摺動し、該溝（６５）の後部には上記ストッパー爪（６２）の先端（６１）が当接する段部（６６）が形成されている。上記溝（６５）の後方にはガイド溝（６７）を設けてあり、上記後部軸筒（２）の後方内本体（５７）の内面に形成した案内突条（６８）が該ガイド溝（６７）に摺動可能に係合する。なお、図２、４に示すように、上記ばね（３）は後方内本体（５７）の内段部と上記前方内本体（６）の内段部間に設けられている。
【００１７】
上記後方外本体（５５）にはキャップ（６９）が着脱自在に嵌着されている。図１５に示すように、キャップ（６９）は通気孔（７０）を有し、内面には案内突起（７１）が形成されている。この案内突起（７１）は上記後部軸筒（２）が短縮位置にあるとき該キャップ（６９）を後部軸筒（２）の接続筒（５４）に嵌着すると、上記尾栓（４８）の傾斜案内面（５３）に当たって該尾栓（４８）を後退位置に押し戻すよう内方に突出している（図１６参照）。なお、図において、キャップ（６９）は上記接続筒（５４）にねじを設けてねじ嵌めしてあるが、接続筒に係合突起を形成してスナップ係合するようにしてもよい。      
【００１８】
上記の構成により、後部軸筒（２）を前方へ移動させると、図２に示すように、該後部軸筒の係合部（３６）がノックレバー（２７）の係合部（３５）に係合し、該後部軸筒（２）は前進位置に保持され、全長が短縮される（図１）。この状態で、上述のように上記ノックレバー(サイドノック部材)により上記チャック駒を少し前方に押圧してチャックが芯を確実に締着しないように構成しておくと、芯は強く把持されていないから、芯先端やスライダー(８)を簡単に軸筒内に押し込むことができる。
【００１９】
使用に際して、上記ノックレバー（２７）を軸径方向に押圧すると、上記係合部（３５）、（３６）の係合が外れ、後部軸筒（２）は、ばね（３）により後退し、全長が伸長される(図３、図４)。この伸長位置は、上記後方内本体（５７）のストッパー爪（６２）と前方内本体（６）の溝（６５）に形成した段部（６６）で規制される。また、軸筒が伸長されると、上記ノックレバー（２７）の係合が外されるので、チャックばねの作用でチャック駒（１１）は後退するから、上記チャックは芯を確実に締着する位置まで後退可能となる。したがって、上記ノックレバー（２７）をノックすれば、前部軸筒（１）の先端から芯が繰り出され、ノックを止めれば上記チャックは後退し上記クラッチ(１４)の後端は内方フランジ(１７)に当たって該チャックを充分に締着し、芯は後退いないから、筆記することができる。再度、全長を短縮させる際は、上述のように後部軸筒（２）を前方へ移動させればよい。
【００２０】
図１７を参照し、芯を補給するには、後部軸筒（２）を短縮位置に移動し（図Ａ）、キャップ（６９）を外し（図Ｂ）、尾栓（４８）を移動し（図Ｃ）、芯（７２）を挿入し（図Ｄ）、尾栓（４８）を戻し（図Ｅ）、キャップ（６９）を被せればよい（図Ｆ）。そして、上記のように尾栓（４８）を移動したとき、該尾栓（４８）は後部軸筒（２）の後端（２a）に対応する位置に突出するから（図Ｇ）、後部軸筒（２）を伸長させようとしても該尾栓（４８）に当たって伸長位置に移動させることはできず、安全に芯を補給することができる。また、上記尾栓（４８）を定位置に戻さずにキャップ（６９）を嵌着しようとすると、キャップ内に設けた案内突起（７１）が尾栓の傾斜案内面（５３）に当たって該尾栓（４８）を定位置に戻し、閉塞することができる（図Ｈ）。
【００２１】
なお、尾栓は芯ケースの後端に回動可能に設けてもよい。たとえば、図１８に示すように芯ケース（２２）の後端筒状部（４３）の外縁内に入る形状で芯挿入口（７３）を有する略円板状体の尾栓（７４）を構成し、該尾栓を芯ケース（２２）の後端に偏心状態で枢着（７５）する（図Ａ）。そして、該枢着部（７５）を中心として回転すると、尾栓（７４）の一部が芯ケース（２２）の外縁から軸径方向に突出して後部軸筒（２）の後端（２a）に対向する位置に進み、そのとき芯挿入口（７３）が芯ケース（２２）の後端開口部（４４）に連通し芯を補給することができる（図Ｂ）。また、尾栓（７４）を元の位置に戻すと、芯ケース（２２）の後端筒状部（４３）の外縁内に入り込み、芯ケース（２２）の後端開口部（４４）は尾栓（７４）で閉塞される。なお、該尾栓の外面には、キャップを嵌着した際に、キャップで押されて定位置に戻されるような適宜形状の案内面を形成してある。このようにしても上記摺動可能に尾栓を設けた場合と同じように使用することができる。  
【図面の簡単な説明】
【００２２】
【図１】本発明の一実施例を示し、全長を短縮した状態の平面図。
【図２】図１の断面図。
【図３】全長を伸長した状態の正面図。
【図４】図３の断面図
【図５】前部軸筒の前方内本体を示し、（Ａ）は平面図、（Ｂ）は正面図、（Ｃ）は断面図、(Ｄ)は左側面図、(Ｅ)は右側面図。
【図６】チャック駒を示し、(Ａ)は平面図、(Ｂ)正面図、(Ｃ)は断面図、(Ｄ)は右側面図、(Ｅ)は右側面図。
【図７】ノックレバーを示し、（Ａ）は平面図、（Ｂ）は正面図、（Ｃ）は底面図、(Ｄ)は断面図。
【図８】ノックレバーと後部軸筒の係合部の係合状態を示す説明図。
【図９】芯ケースを示し、（Ａ）は平面図、(Ｂ)は正面図、(Ｃ)は底面図、(Ｄ)は断面図、(Ｅ)は背面図、（Ｆ）は左側面図、（Ｇ）は右側面図、（Ｈ）は後端開口部の拡大断面図。
【図１０】尾栓を示し、(Ａ)は平面図、(Ｂ)は正面図、(Ｃ)は底面図、(Ｄ)は断面図、(Ｅ)は左側面図、 (Ｆ)は右側面図。
【図１１】尾栓が閉鎖状態にあるときの説明図で、（Ａ）は正面図、（Ｂ）は断面図。
【図１２】尾栓が開放状態にあるときの説明図で、（Ａ）は正面図、（Ｂ）は断面図。
【図１３】後部軸筒の後方外本体を示し、（Ａ）は平面図、（Ｂ）は正面図、（Ｃ）は底面図、（Ｄ）は断面図。
【図１４】後部軸筒の後方内本体を示し、Ａ）は平面図、（Ｂ）は正面図、（Ｃ）は底面図、（Ｄ）は断面図、（Ｅ）は右側面図。
【図１５】キャップを示し、（Ａ）は正面図、（Ｂ）は断面図。
【図１６】キャップを嵌めた状態の説明図。
【図１７】（Ａ）から（Ｈ）は芯を補給する際の各説明図。
【図１８】尾栓の他の実施例を示し、（Ａ）は閉鎖状態、（Ｂ）は開放状態の各説明図。
【符号の説明】
【００２３】
１    前部軸筒
２    後部軸筒
２a    後部軸筒の後端
５    前方外本体
６    前方内本体
２２    芯ケース
２６    サイドノック部材
２７    ノックレバー
４４    後端開口部
４８    尾栓
５５    後方外本体
５７    後方内本体
６２    ストッパー爪
６９    キャップ
【図１】
2008302676.tif 000003
【図２】
2008302676.tif 000004
【図３】
2008302676.tif 000005
【図４】
2008302676.tif 000006
【図５】
2008302676.tif 000007
【図６】
2008302676.tif 000008
【図７】
2008302676.tif 000009
【図８】
2008302676.tif 000010
【図９】
2008302676.tif 000011
【図１０】
2008302676.tif 000012
【図１１】
2008302676.tif 000013
【図１２】
2008302676.tif 000014
【図１３】
2008302676.tif 000015
【図１４】
2008302676.tif 000016
【図１５】
2008302676.tif 000017
【図１６】
2008302676.tif 000018
【図１７】
2008302676.tif 000019
【図１８】
2008302676.tif 000020